(57)【要約】【課題】本発明は、通信端末を所望の通信ネットワークに接続させる際、通信設定情報の設定を容易にし、通信端末の設置場所にとらわれず、想定外の通信端末に通信設定情報が傍受されにくい通信システムを提供することを目的とする。【解決手段】本発明による通信システムは、第一の通信端末１０と第二の通信端末２０とを含む通信ネットワーク１５上で相互にデータ通信を行なうための通信システムである。第一の通信端末１０は、通信ネットワーク１５上の他の通信端末と通信可能にするために必要な通信設定情報を画像情報に変換した通信設定画像を表示する画像表示部１４とを備える。第二の通信端末２０は、通信設定画像を撮像する画像撮像部２１と、撮像された通信設定画像から通信設定情報を抽出する通信設定情報抽出部２２とを備える。【選択図】図１
2008288749.tif 000002
【特許請求の範囲】
【請求項１】
第一の通信端末と第二の通信端末とを含む通信ネットワーク上で相互にデータ通信を行なうための通信システムであって、
前記第一の通信端末は、
前記通信ネットワーク上の他の通信端末と前記データ通信を行なう通信Ｉ／Ｆ手段と、
前記通信Ｉ／Ｆ手段を介して前記通信ネットワーク上の前記他の通信端末と通信可能にするために必要な通信設定情報を、画像情報に変換した通信設定画像を表示する画像表示手段と、
を備え、
前記第二の通信端末は、
前記画像表示手段が表示した前記通信設定画像を撮像する画像撮像手段と、
前記画像撮像手段で撮像された前記通信設定画像から前記通信設定情報を抽出する通信設定情報抽出手段と、
前記抽出された前記通信設定情報に基づき、前記通信ネットワーク上の前記第一の通信端末と前記データ通信を行なう通信Ｉ／Ｆ手段と、
を備えることを特徴とする、通信システム。
【請求項２】
前記画像表示手段は、
前記通信設定情報を保持し、管理する通信設定管理手段と、
前記通信設定管理手段が保持し、管理する前記通信設定情報を前記画像情報に変換して前記通信設定画像を生成する通信設定画像生成手段と、
前記画像情報に変換された前記通信設定画像を表示する手段と、
を備えることを特徴とする、請求項１に記載の通信システム。
【請求項３】
前記画像表示手段は、
前記通信設定情報を前記画像情報に予め変換している前記通信設定画像を保持する通信設定画像保持手段と、
前記通信設定画像保持手段が保持する前記通信設定画像を表示する手段と、
を備えることを特徴とする、請求項１に記載の通信システム。
【請求項４】
第一の通信端末と第二の通信端末とを含む通信ネットワーク上で相互にデータ通信を行なうための通信端末接続方法であって、
（ａ）前記第一の通信端末が前記通信ネットワーク上の他の通信端末と通信可能にするために必要な通信設定情報を、画像情報に変換した通信設定画像を表示する工程と、
（ｂ）前記第二の通信端末が前記工程（ａ）で表示した前記通信設定画像を撮像する工程と、
（ｃ）前記第二の通信端末が前記工程（ｂ）で撮像された前記通信設定画像から前記通信設定情報を抽出する工程と、
（ｄ）前記第二の通信端末が前記工程（ｃ）で抽出した前記通信設定情報に基づき、前記通信ネットワーク上の他の通信端末と接続する工程と、
を備えることを特徴とする、通信端末接続方法。
【請求項５】
前記工程（ａ）は、
（ｅ）前記通信設定情報を前記画像情報に変換して前記通信設定画像を生成する工程と、
（ｆ）前記工程（ｅ）において生成した前記通信設定画像を表示する工程と、
を備えることを特徴とする、請求項４に記載の通信端末接続方法。
【請求項６】
前記工程（ａ）において、前記第一の通信端末は起動時に前記通信設定画像を表示することを特徴とする、請求項４に記載の通信端末接続方法。
【請求項７】
前記第一の通信端末は外部から操作可能な入力装置を備え、前記工程（ａ）において、前記入力装置への入力操作によって前記通信設定画像を表示することを特徴とする、請求項４に記載の通信端末接続方法。
【請求項８】
前記工程（ｂ）において、前記第二の通信端末は起動時に前記工程（ａ）で表示した前記通信設定画像を撮像することを特徴とする、請求項４に記載の通信端末接続方法。
【請求項９】
前記第二の通信端末は外部から操作可能な入力装置を備え、前記工程（ｂ）において、前記入力装置への入力操作によって前記通信設定画像を表示することを特徴とする、請求項４に記載の通信端末接続方法。
【請求項１０】
前記通信設定情報は、通信周波数情報、通信チャンネル情報、通信端末グループの識別子情報、通信端末の識別子またはアドレス情報、暗号鍵情報、暗号方式情報のうちの少なくとも１つ以上を含むことを特徴とする、請求項４に記載の通信端末接続方法。
【請求項１１】
前記通信設定画像は、前記通信設定情報を文字、数字、図形のいずれか、またはそれらの複数の組み合わせから構成される情報に変換した画像情報であることを特徴とする、請求項４に記載の通信端末接続方法。
【請求項１２】
通信ネットワーク上の他の通信端末とデータ通信を行なう通信Ｉ／Ｆ手段と、
前記Ｉ／Ｆ手段を介して前記通信ネットワーク上の前記他の通信端末と通信可能にするために必要な通信設定情報を、画像情報に変換した通信設定画像を表示する画像表示手段と、
を備えることを特徴とする、通信端末。
【請求項１３】
通信ネットワーク上の他の通信端末により表示された、当該他の通信端末とデータ通信を行なうために必要な通信設定情報を含んだ通信設定画像を撮像する画像撮像手段と、
前記画像撮像手段で撮像された前記通信設定画像から前記通信設定情報を抽出する通信設定情報抽出手段と、
前記抽出された前記通信設定情報に基づき、前記通信ネットワーク上の第一の通信端末と前記データ通信を行なう通信Ｉ／Ｆ手段と、
を備えることを特徴とする、通信端末。
【請求項１４】
前記画像表示手段は、
前記通信設定情報を保持し、管理する通信設定管理手段と、
前記通信設定管理手段が保持し、管理する前記通信設定情報を前記画像情報に変換して前記通信設定画像を生成する通信設定画像生成手段と、
前記画像情報に変換された前記通信設定画像を表示する手段と、
を備えることを特徴とする、請求項１２に記載の通信端末。
【請求項１５】
前記画像表示手段は、
前記通信設定情報を前記画像情報に予め変換している前記通信設定画像を保持する通信設定画像保持手段と、
前記通信設定画像保持手段が保持する前記通信設定画像を表示する手段と、
を備えることを特徴とする、請求項１２に記載の通信端末。
【請求項１６】
前記第一の通信端末は、起動時に前記画像表示手段によって前記通信設定画像を表示することを特徴とする、請求項１２に記載の通信端末。
【請求項１７】
前記第一の通信端末は外部から操作可能な入力装置をさらに備え、前記入力装置への入力操作によって前記通信設定画像を前記画像表示手段に表示することを特徴とする、請求項１２に記載の通信端末。
【請求項１８】
前記第二の通信端末は、起動時に前記画像撮像手段によって前記通信設定画像を撮像することを特徴とする、請求項１３に記載の通信端末。
【請求項１９】
前記第二の通信端末は外部から操作可能な入力装置をさらに備え、前記入力装置への入力操作によって前記通信設定画像を撮像することを特徴とする、請求項１３に記載の通信端末。
【請求項２０】
前記通信設定情報は、通信周波数情報、通信チャンネル情報、通信端末グループの識別子情報、通信端末の識別子またはアドレス情報、暗号鍵情報、暗号方式情報のうちの少なくとも１つ以上を含むことを特徴とする、請求項１２または請求項１３に記載の通信端末。
【請求項２１】
前記通信設定画像は、前記通信設定情報を文字、数字、図形のいずれか、またはそれらの複数の組み合わせから構成される情報に変換した画像情報であることを特徴とする、請求項１２または請求項１３に記載の通信端末。
【発明の詳細な説明】
【技術分野】
【０００１】
本発明は、通信ネットワーク上でデータ通信を行う通信システム、通信端末接続方法および通信端末に関し、例えば、通信ネットワーク上でデータ通信を行なうために、通信ネットワークに参入したり、特定の端末との通信を確立する通信端末に適用できる。
【背景技術】
【０００２】
従来の通信システムでは、通信端末を所望の通信ネットワークに接続して所望の通信端末と通信させるためには、通信周波数や通信速度などの通信媒体情報、通信相手先の通信端末のＩＤ（ＩＤｅｎｔｉｆｉｃａｔｉｏｎ）、通信端末が所属する通信端末グループのＩＤ、暗号通信に必要な暗号鍵および暗号設定情報などの通信設定情報を各通信端末に設定することによって、通信端末を所望の通信ネットワークに接続させて所望の通信端末と通信させることが可能となる。
【０００３】
一例として、ＩＥＥＥ８０２．１１などの無線ＬＡＮシステムにおける通信端末では、通信周波数、通信相手先が所属する通信端末グループの識別子であるＳＳＩＤ（Ｓｅｒｖｉｃｅ  Ｓｅｔ  ＩＤｅｎｔｉｆｉｅｒ）やＥＳＳＩＤ（Ｅｘｔｅｎｄｅｄ  Ｓｅｒｖｉｃｅ  Ｓｅｔ  ＩＤｅｎｔｉｆｉｅｒ）、通信相手先のＩＰ（Ｉｎｔｅｒｎｅｔ  Ｐｒｏｔｏｃｏｌ）アドレス等の設定が必要である。また、暗号通信を行なうためには、通信データを暗号化するための暗号化方式と暗号鍵の設定が必要となる。
【０００４】
従来の通信端末システムにおいて、上記のような通信ネットワークに接続するために必要な設定は、通信設定情報を各通信端末ごとに手入力しなければならず煩雑であるという問題があった。
【０００５】
このような問題の対策として、通信させる通信装置同士を近づけて通信装置に備えられている所定のボタンを押下したときに、通信設定情報を含んだ微弱な電波の出力を所望の通信装置のみが受信できるようにすることによって、各通信装置に通信設定情報を手入力する手間を省くことが可能となる（例えば、特許文献１参照）。
【０００６】
【特許文献１】特開２００６−５０３７２号公報
【発明の開示】
【発明が解決しようとする課題】
【０００７】
しかし、特許文献１では、出力する電波がいくら微弱であるといっても想定外の通信端末に受信されてしまう可能性がある。また、通信装置が天井に備えられているなど、容易に近づけない箇所に通信装置が備えられている場合には、通信設定情報を送信するための所定のボタンの押下が困難となり、また微弱な電波では通信できないなどの問題がある。
【０００８】
本発明は、これらの問題を解決するためになされたもので、通信端末を所望の通信ネットワークに接続させる際に、通信設定情報の設定を容易にし、通信端末の設置場所にとらわれず、想定外の通信端末に通信設定情報が傍受されにくい通信システム、通信端末接続方法および通信端末を提供することを目的とする。
【課題を解決するための手段】
【０００９】
上記の問題を解決するために、本発明による通信システムは、第一の通信端末と第二の通信端末とを含む通信ネットワーク上で相互にデータ通信を行なうための通信システムであって、第一の通信端末は、通信ネットワーク上の他の通信端末とデータ通信を行なう通信Ｉ／Ｆ手段と、通信Ｉ／Ｆ手段を介して通信ネットワーク上の他の通信端末と通信可能にするために必要な通信設定情報を、画像情報に変換した通信設定画像を表示する画像表示手段とを備え、第二の通信端末は、画像表示手段が表示した通信設定画像を撮像する画像撮像手段と、画像撮像手段で撮像された通信設定画像から通信設定情報を抽出する通信設定情報抽出手段と、抽出された通信設定情報に基づき、通信ネットワーク上の第一の通信端末とデータ通信を行なう通信Ｉ／Ｆ手段とを備えることを特徴とする。
【発明の効果】
【００１０】
本発明は、請求項１に記載のように、第一の通信端末と第二の通信端末とを含む通信ネットワーク上で相互にデータ通信を行なうための通信システムであって、第一の通信端末は、通信ネットワーク上の他の通信端末とデータ通信を行なう通信Ｉ／Ｆ手段と、通信Ｉ／Ｆ手段を介して通信ネットワーク上の他の通信端末と通信可能にするために必要な通信設定情報を、画像情報に変換した通信設定画像を表示する画像表示手段とを備え、第二の通信端末は、画像表示手段が表示した通信設定画像を撮像する画像撮像手段と、画像撮像手段で撮像された通信設定画像から通信設定情報を抽出する通信設定情報抽出手段と、抽出された通信設定情報に基づき、通信ネットワーク上の第一の通信端末とデータ通信を行なう通信Ｉ／Ｆ手段とを備えているので、通信端末を所望の通信ネットワークに接続させる際に、通信設定情報の設定を容易にし、通信端末の設置場所にとらわれず、想定外の通信端末に通信設定情報が傍受されにくくなるという効果がある。
【発明を実施するための最良の形態】
【００１１】
本発明の実施形態について、図面に基づいて以下に説明する。
【００１２】
図１は、本発明の実施形態による第一の通信端末のブロック図である。図１に示すように、第一の通信端末１０は、通信Ｉ／Ｆ部１１、通信設定管理部１２、通信設定画像生成部１３、画像表示部１４とから構成されている。通信Ｉ／Ｆ部１１は、通信ネットワーク１５を介して通信ネットワーク１５上の他の通信端末とデータ通信を行なうインターフェースである（通信Ｉ／Ｆ手段）。通信設定管理部１２は、通信Ｉ／Ｆ部１１を介して通信ネットワーク１５の他の通信端末と通信可能にするために必要な通信設定情報を管理し、必要に応じて通信設定情報を通信設定画像生成部１３に送信している（通信設定管理手段）。通信設定画像生成部１３は、通信設定管理部１２から送信されてきた通信設定情報を画像情報に変換して通信設定画像情報を生成し、生成した通信設定画像情報を画像表示部１４に送信する（通信設定画像生成手段）。画像表示部１４は、通信設定画像生成部１３から送信されてきた通信設定画像情報を表示する。すなわち、通信設定管理部１２、通信設定画像生成部１３、画像表示部１４の各々を経た通信設定画像情報を画像表示部１４で表示している（画像表示手段）。
【００１３】
図２は、本発明の実施形態による第二の通信端末のブロック図である。図２に示すように、第二の通信端末２０は、画像撮像部２１、通信設定情報抽出部２２、通信設定管理部２３、通信Ｉ／Ｆ部２４とから構成されている。画像撮像部２１は、第一の通信端末１０の画像表示部１４が表示した通信設定画像情報を撮像し、撮像したデータを通信設定画像情報抽出部２２に送信する（画像撮像手段）。通信設定情報抽出部２２は、画像撮像部２１から送信されてきた通信設定画像情報から予め定められた抽出方法で通信設定情報を抽出し、抽出した通信設定情報を通信設定情報管理部２３に送信する（通信設定情報抽出手段）。通信設定管理部２３は、通信設定情報抽出部２２から送信されてきた通信設定情報を管理しており、通信設定情報を通信Ｉ／Ｆ部２４に送信する。通信Ｉ／Ｆ部２４は、通信ネットワーク１５を介して通信ネットワーク１５上の他の通信端末とデータ通信の行なうインターフェースである（通信Ｉ／Ｆ手段）。
【００１４】
第一の通信端末１０と第二の通信端末２０との通信リンクを確立して相互にデータ通信を行なう動作について説明する。
【００１５】
図３は、本発明の実施形態による第一の通信端末と第二の通信端末とから構成される通信ネットワークを示す例図である。ここでは具体的に、第一の通信端末１０をプロジェクタ、第二の通信端末２０をデジタルカメラとしている。なお、本発明の実施形態では、第二の通信端末２０をデジタルカメラとしたが、カメラ付き携帯電話、ＰＤＡ、ＷＥＢカメラ付きのノートパソコンなど、画像撮影機能を有する通信端末であればいかなるものでもよい。図３に示すように、通信設定画像情報３１を表示させる機能を有する第一の通信端末１０と、通信設定画像情報３１を撮像する機能を有する第二の通信端末２０とが通信ネットワーク１５を介して接続されている。
【００１６】
まず、第一の通信端末１０の動作について説明する。
【００１７】
通信設定管理部１２は、通信ネットワーク１５上の他の通信端末と通信可能にするために必要な通信設定情報を管理している。ここでいう通信設定情報とは、所望の通信端末との通信リンクの確立に必要となる通信周波数情報、通信チャンネル情報、通信端末グループの識別子情報、通信相手先の通信端末の識別子やアドレス情報、暗号化通信のために用いられる暗号鍵情報や暗号方式情報などのうちの少なくとも１つ以上を含む情報のことである。例えば、通信ネットワーク１５がＥｔｈｅｒｎｅｔ（登録商標）ネットワークである場合、通信設定情報は、第一の通信端末１０のＩＰアドレスやＭＡＣアドレス、暗号鍵情報、暗号方式情報、暗号設定情報のうちの少なくとも１つ以上を含んだ情報である。また、通信ネットワーク１５がＩＥＥＥ８０２．１１シリーズの無線ＬＡＮである場合、通信設定情報は、通信周波数情報や周波数チャンネル情報、ＳＳＩＤやＥＳＳＩＤ、第一の通信端末１０のＩＰアドレスやＭＡＣアドレス、暗号鍵情報、暗号方式情報、暗号設定情報のうちの少なくとも１つ以上を含んだ情報である。
【００１８】
通信設定画像生成部１３は、通信設定管理部１２から送信されてきた通信設定情報を画像情報に変換して通信設定画像情報を生成し、生成した画像情報を画像表示部１４に送信する。画像情報への変換方法としては、例えば図６に示すように、文字や数字を文字フォントとして画像情報とする方法、図７に示すような２次元コードやバーコードのような図形を画像情報とする方法、また一組の通信設定情報を複数の画像情報で構成する方法としてもよく、変換された画像情報から通信設定情報が一意に抽出可能であれば、いかなる変換方法でもよく特に限定するものではない。通信設定画像情報は、このような文字、数字、図形のいずれか、またはそれらの複数の組み合わせから構成される情報に変換した画像情報である。
【００１９】
画像表示部１４は、通信設定画像生成部１３から送信されてきた画像情報に基づいて通信設定画像情報３１を表示する。表示方法としては、液晶ディスプレイなどの直視型、またはフロントプロジェクタなどの投写型のいずれであってもよく、特に限定するものではない。
【００２０】
画像表示部１４が通信設定画像情報３１を表示するタイミングは、例えば、第一の通信端末１０の起動時や、通信ネットワーク１５上での通信端末の構成の変化を第一の通信端末１０の通信Ｉ／Ｆ部１１が認識したときに通信設定画像情報３１を表示してもよく、特に限定するものではない。また、第一の通信端末１０に外部から操作可能な入力装置を備え、入力装置への入力操作によって通信設定画像情報３１を表示してもよい。具体的な例として、図４に示すように、第一の通信端末１０に操作スイッチ４１を備え、操作スイッチ４１によって操作されたときに通信設定画像情報３１を表示してもよい。
【００２１】
次に、第二の通信端末２０の動作について説明する。
【００２２】
画像撮像部２１は、第一の通信端末１０の画像表示部１４が表示した通信設定画像情報３１を撮像し、通信設定情報抽出部２２に送信する。通信設定情報抽出部２２は、あらかじめ定められた抽出方法によって、前記通信設定画像情報３１を撮像した撮像画像から通信設定情報を抽出し、当該通信設定情報を通信設定情報管理部２３に送信する。また、第二の通信端末２０は、外部に映像や音声にステータスを通知する通知装置を備え、もし画像撮像部２１が撮像画像から通信設定情報を抽出できなかった場合には、通知装置によって第二の通信端末２０を操作するユーザーが、再度通信設定画像情報３１を撮像するように操作することが可能である。
【００２３】
画像撮像部２１で撮像した通信設定情報画像３１が、図６に示す画像であった場合、通信設定情報抽出部２２は、図６の画像から通信チャンネルが３６ｃｈ、通信周波数が５１８０ＭＨｚ、通信端末グループの識別子であるＥＳＳＩＤが”ｎｅｔｗｏｒｋ１”、第一の通信端末１０のＩＰアドレスが１９２．１６８．１．３、暗号化方式がＷＥＰ−１２８ｂｉｔ方式、暗号化キーが”ａｂｃｄｅ１２３４５”という通信設定情報を抽出して、通信設定情報管理部２３に送信する。
【００２４】
通信設定管理部２３は、通信設定情報抽出部２２から受信した通信設定情報に通信周波数情報や通信チャンネル情報が含まれていれば、通信Ｉ／Ｆ部２４に該通信周波数情報や通信チャンネル情報が指定する通信周波数で、第一の通信端末１０と通信するように指示する。画像撮像部２１で撮像した通信設定情報画像３１が、図６に示す画像であった場合、通信設定情報管理部２３は、通信Ｉ／Ｆ部２４に、通信チャンネルが３６ｃｈ、通信周波数が５１８０ＭＨｚで通信するように指示する。もし、該通信設定情報に通信周波数情報や通信チャンネル情報が含まれていないのであれば、通信設定管理部２３は通信Ｉ／Ｆ部２４に対してあらかじめ設定されている通信周波数で通信するように指示してもよいし、第一の通信端末１０が発信しているビーコン信号が受信できるまであらかじめ複数指定されている通信周波数に順次切り替えて前記第一の通信端末１０が発信しているビーコン信号が受信できた通信周波数で通信するように指示してもよいし、図５に示すように、第二の通信端末２０に外部入力Ｉ／Ｆ部５１を備えて外部入力Ｉ／Ｆ部５１によって入力された通信周波数で通信するように指示してもよく、受信した通信設定情報に必要な通信設定情報が含まれていない場合の制御方法は限定するものではない。
【００２５】
また、通信設定管理部２３は、通信設定情報抽出部２２から受信した通信設定情報に含まれている通信設定情報に、通信端末グループの識別子情報、通信相手先の通信端末の識別情報やアドレス情報、暗号化通信のために用いられる暗号鍵情報や暗号方式情報などの情報が含まれていれば、通信Ｉ／Ｆ部２４に該通信設定情報が指定する通信設定で通信するよう指示する。具体的には、通信ネットワーク１５がＩＥＥＥ８０２．１１シリーズの無線ＬＡＮである場合、通信端末グループの識別子情報とは、ＳＳＩＤもしくはＥＳＳＩＤである。また、通信相手先の通信端末の識別情報やアドレス情報とは、ＩＰアドレスもしくはＭＡＣアドレスである。画像撮像部２１で撮像した通信設定情報画像３１が、図６に示す画像であった場合、通信設定情報管理部２３は通信Ｉ／Ｆ部２４に、通信端末グループの識別子であるＥＳＳＩＤが”ｎｅｔｗｏｒｋ１”、通信相手先の第一の通信端末１０のＩＰアドレスが１９２．１６８．１．３、暗号化方式がＷＥＰ−１２８ｂｉｔ方式、暗号化キーが”ａｂｃｄｅ１２３４５”で通信するように指示する。もし、該通信設定情報に、通信端末グループの識別子情報、通信相手先の通信端末の識別子情報やアドレス情報、暗号化通信のために用いられる暗号鍵情報や暗号方式情報などの情報が含まれていないのであれば、あらかじめ設定されている通信設定情報で通信するように指示してもよいし、第二の通信端末２０に外部入力Ｉ／Ｆ５１によって入力された通信設定情報で通信するように指示してもよく、受信した通信設定情報に必要な通信設定情報が含まれていない場合の制御方法は限定するものではない。
【００２６】
第二の通信端末２０自身のＩＰアドレスは、第一の通信端末１０がＤＨＣＰサーバーであれば、第一の通信端末１０から指定されるＩＰアドレスを使用することができる。また、第一の通信端末１０がＤＨＣＰサーバーでない場合には、第一の通信端末１０と同じネットワークで、かつ他の通信端末が使用していないＩＰアドレスを選択する。第一の通信端末１０のＩＰアドレスが１９２．１６８．１．３であった場合、例えば、同一ネットワークのＩＰアドレスである１９２．１６８．１．５が他の端末に使用されていなかったら、第二の通信端末２０は自身のＩＰアドレスを１９２．１６８．１．５として動作する。
【００２７】
通信Ｉ／Ｆ部２４は、通信設定管理部２３からの指示された通信設定情報に基づいて、通信ネットワーク１５を介して第一の通信端末１０と接続し、データ通信を行なう。
【００２８】
画像撮像部２１が通信設定画像情報３１を撮像するタイミングは、例えば、第二の通信端末２０の起動時であってもよい。また、第二の通信端末２０に外部から操作可能な入力装置を備え、入力装置への入力操作によって通信設定画像情報３１を撮像してもよい。
【００２９】
以上のことから、第一の通信端末１０と第二の通信端末２０とを含む通信ネットワーク１５上で相互にデータ通信を行なうための通信システムにおいて、第一の通信端末１０は通信設定情報を通信設定画像情報に変換して表示する機能を備え、第二の通信端末２０は通信設定画像情報を撮像して通信設定情報を抽出する機能を備えている。そのため、第一の通信端末１０と第二の通信端末２０との各々に通信設定情報を手入力するなどの手間がなく容易となる。また、通信設定情報を画像情報として表示するため、画像情報が視認できる空間にある通信端末のみ通信設定情報を取り込むことが可能となる。したがって、画像情報を表示する空間を制限することによって、第一の通信端末１０と第二の通信端末と２０とが含まれる通信ネットワーク１５のセキュリティを保つことができる。さらに、第二の通信端末２０は、画像情報を視認できる空間内に存在すれば通信設定情報を取り込むことができるため、通信設定画像情報を遠隔監視可能に表示すれば、第二の通信端末２０は第一の通信端末１０の近傍に存在していなくても通信設定画像情報を視認でき、第一の通信端末１０との間でデータ通信を行なうことが可能となる。
【図面の簡単な説明】
【００３０】
【図１】本発明の実施形態による第一の通信端末のブロック図である。
【図２】本発明の実施形態による第二の通信端末のブロック図である。
【図３】本発明の実施形態による第一の通信端末と第二の通信端末とから構成される通信ネットワークを示す例図である。
【図４】本発明の実施形態による操作スイッチを備えた第一の通信端末のブロック図である。
【図５】本発明の実施形態による外部入力Ｉ／Ｆ部を備えた第二の通信端末のブロック図である。
【図６】本発明の実施形態による画像情報の一例を示す図である。
【図７】本発明の実施形態による画像情報の一例を示す図である。
【符号の説明】
【００３１】
１  第一の通信端末、１１  通信Ｉ／Ｆ部、１２  通信設定管理部、１３  通信設定画像生成部、１４  画像表示部、１５  通信ネットワーク、２０  第二の通信端末、２１  画像撮像部、２２  通信設定情報抽出部、２３  通信設定管理部、２４  通信Ｉ／Ｆ部、３１  通信設定画像情報、４１  操作スイッチ、５１  外部入力Ｉ／Ｆ部。
【図１】
2008288749.tif 000003
【図２】
2008288749.tif 000004
【図３】
2008288749.tif 000005
【図４】
2008288749.tif 000006
【図５】
2008288749.tif 000007
【図６】
2008288749.tif 000008
【図７】
2008288749.tif 000009